【事件の表示】
　特許第２８１４９０４号「時計外装の夜光構造」の請求項１ないし５に係る特許に対する特許異議の申立てについて、次のとおり決定する。
【結　論】
　訂正を認める。
　特許第２８１４９０４号の請求項１ないし５に係る特許を維持する。
【理　由】
第１．手続きの経緯
　本件特許２８１４９０４号発明は、平成５年１２月２４日に出願され、平成１０年８月１４日にその設定登録がなされ、その後、シチズン時計株式会社（外１名）より特許異議の申立てがなされ、取消理由通知がなされ、その指定期間内である平成１２年１月１７日付けで訂正請求がなされたものである。      
第２．訂正の適否についての判断
１．訂正の内容
訂正事項ａ
　請求項１を以下のように訂正する。
「【請求項１】時計ケースのダイヤルリング表面に、酸化アルミニウムストロンチウムを発光基体としポリメチルメタアクリレイトをバインダー材として混合し組成された蓄光性夜光塗料を塗布したことを特徴とする時計外装の夜光構造。」
訂正事項ｂ
　請求項２を以下のように訂正する。
「【請求項２】時計ケースのダイヤルリング自体に、酸化アルミニウムストロンチウムを発光基体としポリメチルメタアクリレイトをバインダー材として混合し組成された蓄光性夜光塗料を混入したことを特徴とする時計外装の夜光構造。」
訂正事項ｃ
　請求項３を以下のように訂正する。
「【請求項３】文字板に反射率の高い塗装を施すと共に、時計ケースの見返し面に、酸化アルミニウムストロンチウムを発光基体としポリメチルメタアクリレイトをバインダー材として混合し組成された蓄光性夜光塗料を塗布したことを特徴とする時計外装の夜光構造。」
訂正事項ｄ
　請求項４を以下のように訂正する。
「【請求項４】時計ケースのガラス内面に、酸化アルミニウムストロンチウムを発光基体としポリメチルメタアクリレイトをバインダー材として混合し組成された蓄光性夜光塗料を塗布したことを特徴とする時計外装の夜光構造。」
訂正事項ｅ
　請求項５を以下のように訂正する。
「【請求項５】文字板に反射率の高い塗装を施すと共に、時計の時針、分針の裏面に、酸化アルミニウムストロンチウムを発光基体としポリメチルメタアクリレイトをバインダー材として混合し組成された蓄光性夜光塗料を塗布したことを特徴とする時計外装の夜光構造。」
訂正事項ｆ
　【発明の詳細な説明】中【課題を解決するための手段】の欄を以下のように訂正する。
「上記課題を解決するため、本発明の時計外装の夜光構造は、時計ケースのダイヤルリング表面に、酸化アルミニウムストロンチウムを発光基体としポリメチルメタアクリレイトをバインダー材として混合し組成された蓄光性夜光塗料を塗布したことを特徴とする。
　また、本発明の時計外装の夜光構造は、時計ケースのダイヤルリング自体に、酸化アルミニウムストロンチウムを発光基体としポリメチルメタアクリレイトをバインダー材として混合し組成された蓄光性夜光塗料を混入したことを特徴とする。
　また、本発明の時計外装の夜光構造は、文字板に反射率の高い塗装を施すと共に、時計ケースの見返し面に、酸化アルミニウムストロンチウムを発光基体としポリメチルメタアクリレイトをバインダー材として混合し組成された蓄光性夜光塗料を塗布したことを特徴とする。
　また、本発明の時計外装の夜光構造は、時計ケースのガラス内面に、酸化アルミニウムストロンチウムを発光基体としポリメチルメタアクリレイトをバインダー材として混合し組成された蓄光性夜光塗料を塗布したことを特徴とする。
　また、本発明の時計外装の夜光構造は、文字板に反射率の高い塗装を施すと共に、時計の時針、分針の裏面に、酸化アルミニウムストロンチウムを発光基体としポリメチルメタアクリレイトをバインダー材として混合し組成された蓄光性夜光塗料を塗布したことを特徴とする。」
２．訂正の目的の適否、拡張・変更の判断
　上記１．の訂正事項ａ乃至ｅの訂正は、特許請求の範囲の減縮を目的としたものであり、実質上特許請求の範囲を拡張又は変更するものでもない。
　また、上記１．の訂正事項ｆの訂正は、明りょうでない記載の釈明を目的としたものである。
  そして、上記１．の訂正事項ａ乃至ｆの訂正は、願書に添付した明細書または図面の記載事項の範囲内の訂正と認められる。
３．独立特許要件
(1)訂正明細書に係る発明
  訂正明細書の請求項１乃至請求項５に係る発明は、訂正明細書及び図面の記載からみて、その特許請求の範囲に記載された請求項１乃至請求項５により特定される次のとおりのものである。
「【請求項１】時計ケースのダイヤルリング表面に、酸化アルミニウムストロンチウムを発光基体としポリメチルメタアクリレイトをバインダー材として混合し組成された蓄光性夜光塗料を塗布したことを特徴とする時計外装の夜光構造。
【請求項２】時計ケースのダイヤルリング自体に、酸化アルミニウムストロンチウムを発光基体としポリメチルメタアクリレイトをバインダー材として混合し組成された蓄光性夜光塗料を混入したことを特徴とする時計外装の夜光構造。
【請求項３】文字板に反射率の高い塗装を施すと共に、時計ケースの見返し面に、酸化アルミニウムストロンチウムを発光基体としポリメチルメタアクリレイトをバインダー材として混合し組成された蓄光性夜光塗料を塗布したことを特徴とする時計外装の夜光構造。
【請求項４】時計ケースのガラス内面に、酸化アルミニウムストロンチウムを発光基体としポリメチルメタアクリレイトをバインダー材として混合し組成された蓄光性夜光塗料を塗布したことを特徴とする時計外装の夜光構造。
【請求項５】文字板に反射率の高い塗装を施すと共に、時計の時針、分針の裏面に、酸化アルミニウムストロンチウムを発光基体としポリメチルメタアクリレイトをバインダー材として混合し組成された蓄光性夜光塗料を塗布したことを特徴とする時計外装の夜光構造。」
(2)取消理由通知の記載事項
  本件請求項１乃至請求項５に係る発明の特許は、刊行物１乃至刊行物７に記載された発明に基づき当業者が容易に発明をすることができたものであるから、特許法第２９条第２項の規定に違反してなされたものである。
　よって、特許法１１３条第１項第２号の規定により取り消されるべきものである。
(3)取消理由通知における刊行物の記載事項
刊行物１（実開昭５６−８８１６４号公報）
　実用新案登録請求の範囲に「照明ランプを装着した透明材料から成るダイヤルリングの上表面に、夜光塗料・蓄光塗料・蛍光塗料のうち少なくともひとつを用いて時刻を表示する位置に塗布するとともに、該ダイヤルリングを時計文字板に装着固定したことを特徴とする照明付電子時計。」と記載されている。
刊行物２（中国特許公開番号ＣＮ１０５３８０７号および出願公開訳文）
　「権利請求範囲」には概ね、アルミン酸ストロンチウムの化合物に賦活剤としてユウロピウムを添加する蓄光性蛍光体材料を各種計器、装飾物の表面に塗布する旨の記載がある。
　また「蓄光材料及び製造プロセス」には概ね、アルミン酸ストロンチウムに賦活剤としてユウロピウムが添加された蓄光性蛍光体は、化学的に安定であり、かつ残光時間が長く、また、その用途として各種計器、時計の表面、装飾物の表面に塗布される旨記載されている。
刊行物３（第248回蛍光体同学会講演予稿）
　第７頁の「１．はじめに」には概ね、ＳｒＡｌ２Ｏ４を母体とした蛍光体を夜光時計等の用途に用いる旨の記載がある。
　第７頁第２２〜２３行には「Ｅｕ等の賦活剤を添加、混合し、」と記載されている。
　第１３頁第６行〜１１行には、「本ＳｒＡｌ２Ｏ４蛍光体は従来品と比較して極めて高輝度であり、その残光時間も長いことから、自然光塗料に代わり放射能を必要としない夜光塗料として、夜光時計文字板等の用途に充分に適用可能である。」と記載されている。
　第１１頁第３〜４行には、「ＳｒＡｌ２Ｏ４蛍光体試料を樹脂に分散させて夜光塗料を試作した。」と記載されている。
刊行物４（実公昭４４−３０７６１号公報）
　第１頁第１欄第３５〜３８行に「夜光塗料をプラスチックスに混入した材料（以下夜光樹脂と称す）を用いて、時計の夜光表示に新しい構造を提供するものである。」と記載され、
　さらに第２欄第１８〜２３行に、「第７図は、夜光樹脂よりなる円形状のリングを文字板に固着し、時刻表示部分を非夜光性の物質、例えば金属材料等により該夜光樹脂リングを覆い、この被覆物質により、暗所となる部分が時刻表示を行う」と記載されている。
刊行物５（実開昭５５−２０４３２号公報）
  実用新案登録請求の範囲に「時刻表示部の外周上方を囲む見返し部の内側に孔を設け、その中に照明用ランプを収容し、見返し部の全周に透明又は半透明で表面に蛍光塗料を塗布した導光板を接着したことを特徴とする時計の照明装置。」と記載されている。
　また、第１図には、時計の見返し部に蛍光塗料を塗布した導光板を接着したことがみてとれる。
刊行物６（実願昭５１−１４００００号（実開昭５３−５６８４２号）のマイクロフィルム）
　実用新案登録請求の範囲第１項に、「カバーガラスの内面と運針にそれぞれ夜光塗料を施してなる夜光表示を有する時計。」と記載されている。
刊行物７（実公昭３３−１８７７３号公報）
　登録請求の範囲に「図面に示す如く文字板１を鏡板で形成し時針２及び分針３の裏面に蛍光塗料４をそれぞれ塗布し且文字板の文字５及び時針２、分針３の表面に白色塗料８をそれぞれ塗布した時計の構造」と記載されている。
(4)対比・判断
　請求項１乃至請求項５に係る発明と刊行物１乃至刊行物７記載の発明とを対比すると、請求項１乃至請求項５に係る発明に共通する「酸化アルミニウムストロンチウムを発光基体としポリメチルメタアクリレイトをバインダー材として混合し組成された蓄光性夜光塗料」の構成は、刊行物１乃至刊行物７には記載されておらず、また刊行物１乃至刊行物７に記載された事項を組み合わせることにより導き出すこともできない。
　そして、請求項１乃至請求項５に係る発明は、上記構成により、「輝度が高く、残光時間が長く、耐光性．耐候性、耐湿性に非常に優れる時計外装の夜光構造を得られる」という効果を奏するものである。
［各刊行物についての考察］
　刊行物１及び刊行物４乃至刊行物７には、蓄光性夜光塗料の具体的な材質は示されていない。
　刊行物２には、アルミン酸ストロンチウム（ＳｒＡｌ２Ｏ４）に、賦活剤としてユウロピウムが添加された蓄光性蛍光体が記載されているが、ポリメチルメタアクリレイトをバインダー材として採用する点は記載されていない。
　刊行物３には、ＳｒＡｌ２Ｏ４を母体とした蛍光体に賦活剤としてＥｕ等を混合する点は記載されているが、ポリメチルメタアクリレイトをバインダー材として採用する点は記載されていない。また、刊行物３には、ＳｒＡｌ２Ｏ４蛍光体試料を樹脂に分散させる応用例が記載されているが、該樹脂がポリメチルメタアクリレイトであることまでは読みとれない。
　よって、刊行物１乃至刊行物７記載の発明を組み合わせても本件発明１乃至５を容易に導き出すことはできない。
  したがって、請求項１乃至請求項５に係る発明は、特許出願の際独立して特許を受けることができない発明であるとすることはできない。
４．むすび
　以上のとおりであるから、上記訂正は、特許法第１２０条の４第２項及び同第３項の規定により準用する特許法第１２６条第２項乃至第４項の規定に適合するので、当該訂正を認める。
第３．特許異議の申立てについての判断
１．申立ての理由の概要
「理由１」本件特許発明の請求項１〜５に記載の発明は、本件特許出願前に日本国内において頒布された甲第１号証乃至甲第９号証に基づき当業者が容易に発明をすることができたものであるから、特許法第２９条２項の規定により特許を受けることができない。
　よって、特許法１１３条第１項第２号の規定により取り消されるべきものである。
「理由２」特許を受けようとする発明が詳細な説明に記載されておらず、しかも発明を実施する程度に明確に記載されていないので、特許法３６条第４項及び第６項の規定を満たしていない。　
　よって、特許法１１３条第１項第４号の規定により取り消されるべきものである。
２．「理由１」について
(1)甲各号証の記載事項
　甲第１号証と上記刊行物１、甲第４号証と上記刊行物２、甲第５号証と上記刊行物３、甲第６号証と上記刊行物４、甲第７号証と上記刊行物５、甲第８号証と上記刊行物６、甲第９号証と上記刊行物７とは、それぞれ同一のものであり、それらには、３−(3)に記載したとおりの事項が記載されている。
  また、甲第２号証、甲第３号証には以下の事項が記載されている。
甲第２号証（ＵＳＰ第２，３９２，８１４号）
　第１頁左欄第４〜７行に、「一般に発光材料が、基体物質またはマトリックスと呼ばれる大部分と、一部の他の物質、すなわち賦活剤とから構成される。」旨記載されている。
　第１頁左欄第１６〜２６行に、「ストロンチウムアルミネートが好適に使用される」旨が記載されている。
　第１頁左欄第２８〜５０行には、「ストロンチウムアルミネートが化学量論的にＳｒＡｌ２Ｏ４で表され、ストロンチウムアルミネート中の酸化アルミニウム（Ａｌ２Ｏ３）と酸化ストロンチウム（ＳｒＯ）との比を変えることは、各種賦活剤の存在下における最適な輝度を得るために得策である。」旨記載されている。
甲第３号証（ＵＳＰ第３，２９４，６９９号）
　第１欄第１６〜１８行目に、「発光材料は、賦活剤が結合した基体からなり」と記載され、このような基体として第１欄第２５〜２８行目に、「ストロンチウムアルミネートが二価の酸化ユウロピウムで賦活したときに、良好な発光材料を得ることができる。」旨記載されているｏ
　第１欄第５０〜５３行目に、「発光材料の基体として使用するストロンチウムアルミネートはその組成において、分子式ＳｒＡｌ２Ｏ４で与えられるる酸化アルミニウムに対する酸化ストロンチウムの化学量的比率がずれている。」旨記載されている。
　
(2)対比・判断
  甲第１号証及び甲第４号証乃至甲第９号証には、上記３−(4)の対比・判断に記載したとおり「酸化アルミニウムストロンチウムを発光基体としポリメチルメタアクリレイトをバインダー材として混合し組成された蓄光性夜光塗料」との構成が記載されていない。
  また、甲第２号証及び甲第３号証には、酸化アルミニウムストロンチウムを発光基体とする点は記載されているが、「バインダー材としてポリメチルメタアクリレイトを採用する」点が記載されていない。
　したがって、請求項１乃至請求項５に係る発明は甲第１号証乃至甲第９号証に記載された発明に基づいて容易に発明をすることができたものであるとすることはできない。
３．「理由２」について
　異議申立人の主張は概ね「酸化アルミニウムストロンチウムは、賦活剤を含有しなければ、蓄光性夜光塗料として用いることは困難である」というものであるが、【発明の詳細な説明】における段落番号【０００７】の第２〜３行には「夜光塗料３は発光基体として酸化アルミニウムストロンチウムを用い」と記載され、「発光基体」として酸化アルミニウムストロンチウムを採用するものであるから、該夜光塗料は酸化アルミニウムストロンチウムのみから成るものではなく何らか材料を付加するものであることが示唆されている。また、発光基体に微量の賦活剤を添加することは技術常識である。
　したがって、賦活剤を含有しないことをもって、特許を受けようとする発明が発明の詳細な説明に記載されておらず、しかも当業者が容易にその実施をすることができる程度に、その発明の目的、構成、効果が記載されていないとすることはできない。
４．以上のとおりであるから、特許異議の申立ての理由及び証拠によっては請求項１乃至請求項５に係る発明の特許を取り消すことはできない。
　また、他に請求項１乃至請求項５に係る発明の特許を取り消すべき理由を発見しない。
　よって、結論のとおりに決定する。
【異議決定日】
平成１２年３月２４日（２０００．３．２４）
【訂正の要旨】
訂正事項ａ
　特許請求の範囲の減縮を目的として、請求項１を以下のように訂正する。
「【請求項１】時計ケースのダイヤルリング表面に、酸化アルミニウムストロンチウムを発光基体としポリメチルメタアクリレイトをバインダー材として混合し組成された蓄光性夜光塗料を塗布したことを特徴とする時計外装の夜光構造。」
訂正事項ｂ
　特許請求の範囲の減縮を目的として、請求項２を以下のように訂正する。
「【請求項２】時計ケースのダイヤルリング自体に、酸化アルミニウムストロンチウムを発光基体としポリメチルメタアクリレイトをバインダー材として混合し組成された蓄光性夜光塗料を混入したことを特徴とする時計外装の夜光構造。」
訂正事項ｃ
　特許請求の範囲の減縮を目的として、請求項３を以下のように訂正する。
「【請求項３】文字板に反射率の高い塗装を施すと共に、時計ケースの見返し面に、酸化アルミニウムストロンチウムを発光基体としポリメチルメタアクリレイトをバインダー材として混合し組成された蓄光性夜光塗料を塗布したことを特徴とする時計外装の夜光構造。」
訂正事項ｄ
　特許請求の範囲の減縮を目的として、請求項４を以下のように訂正する。
「【請求項４】時計ケースのガラス内面に、酸化アルミニウムストロンチウムを発光基体としポリメチルメタアクリレイトをバインダー材として混合し組成された蓄光性夜光塗料を塗布したことを特徴とする時計外装の夜光構造。」
訂正事項ｅ
　特許請求の範囲の減縮を目的として、請求項５を以下のように訂正する。
「【請求項５】文字板に反射率の高い塗装を施すと共に、時計の時針、分針の裏面に、酸化アルミニウムストロンチウムを発光基体としポリメチルメタアクリレイトをバインダー材として混合し組成された蓄光性夜光塗料を塗布したことを特徴とする時計外装の夜光構造。」
訂正事項ｆ
　明瞭でない記載の釈明を目的として、【発明の詳細な説明】中の【課題を解決するための手段】の欄を以下のように訂正する。
「上記課題を解決するため、本発明の時計外装の夜光構造は、時計ケースのダイヤルリング表面に、酸化アルミニウムストロンチウムを発光基体としポリメチルメタアクリレイトをバインダー材として混合し組成された蓄光性夜光塗料を塗布したことを特徴とする。
　また、本発明の時計外装の夜光構造は、時計ケースのダイヤルリング自体に、酸化アルミニウムストロンチウムを発光基体としポリメチルメタアクリレイトをバインダー材として混合し組成された蓄光性夜光塗料を混入したことを特徴とする。
　また、本発明の時計外装の夜光構造は、文字板に反射率の高い塗装を施すと共に、時計ケースの見返し面に、酸化アルミニウムストロンチウムを発光基体としポリメチルメタアクリレイトをバインダー材として混合し組成された蓄光性夜光塗料を塗布したことを特徴とする。
　また、本発明の時計外装の夜光構造は、時計ケースのガラス内面に、酸化アルミニウムストロンチウムを発光基体としポリメチルメタアクリレイトをバインダー材として混合し組成された蓄光性夜光塗料を塗布したことを特徴とする。
　また、本発明の時計外装の夜光構造は、文字板に反射率の高い塗装を施すと共に、時計の時針、分針の裏面に、酸化アルミニウムストロンチウムを発光基体としポリメチルメタアクリレイトをバインダー材として混合し組成された蓄光性夜光塗料を塗布したことを特徴とする。」
（５４）【発明の名称】
時計外装の夜光構造
（５７）【特許請求の範囲】
　【請求項１】　時計ケースのダイヤルリング表面に、酸化アルミニウムストロンチウムを発光基体としポリメチルメタアクリレイトをバインダー材として混合し組成された蓄光性夜光塗料を塗布したことを特徴とする時計外装の夜光構造。
　【請求項２】　時計ケースのダイヤルリング自体に、酸化アルミニウムストロンチウムを発光基体としポリメチルメタアクリレイトをバインダー材として混合し組成された蓄光性夜光塗料を混入したことを特徴とする時計外装の夜光構造。
　【請求項３】　文字板に反射率の高い塗装を施すと共に、時計ケースの見返し面に、酸化アルミニウムストロンチウムを発光基体としポリメチルメタアクリレイトをバインダー材として混合し組成された蓄光性夜光塗料を塗布したことを特徴とする時計外装の夜光構造。
　【請求項４】　時計ケースのガラス内面に、酸化アルミニウムストロンチウムを発光基体としポリメチルメタアクリレイトをバインダー材として混合し組成された蓄光性夜光塗料を塗布したことを特徴とする時計外装の夜光構造。
　【請求項５】　文字板に反射率の高い塗装を施すと共に、時計の時針、分針の裏面に、酸化アルミニウムストロンチウムを発光基体としポリメチルメタアクリレイトをバインダー材として混合し組成された蓄光性夜光塗料を塗布したことを特徴とする時計外装の夜光構造。
【発明の詳細な説明】
　　　【０００１】
　【産業上の利用分野】
　本発明は、時計外装において文字板周辺部に夜光塗料を用いた構造に関する。
　　　【０００２】
　【従来の技術】
　従来の時計の夜光塗料の使用方法は、公開実用昭和５７−２６０８０のように文字板の時刻目盛り上に夜光塗料を塗布し、かつ針の上に塗布したものであり、夜光塗料としては、放射性物質であるプロメチウムからなる自発光性夜光塗料と、硫化亜鉛を発光基体とした蓄光性夜光塗料とがあった。
　　　【０００３】
　【発明が解決しようとする課題】
　しかし、前述の従来技術では、夜光塗料は色が限られている為に文字板や針に使用するとデサインのバラエティ化を図っていく上で限界があった。また、文字略字と時針、分針の両方に夜光塗料を塗布しなくてはならない為、加工工数がかかるという問題があった。蓄光性夜光塗料である硫化亜鉛は発光する残光時間が１時間程度と短く、輝度が低い為に、周辺部を照らすほどの発光量はなかった。残光時間が１０〜２０時間である硫化カルシウムストロンチウムは、その化学的性質から空気中の湿気を吸収して分解し、臭い硫化水素ガス放って次第に発光性を失い、耐久性が悪く、輝度も低いといった問題点を有していた。
　　　【０００４】
　そこで本発明はこのような問題点を解決するもので、輝度が高く、耐久品質の良い夜光塗料を文字板周辺部へ使用した時計構造を提供するところにある。
　　　【０００５】
　【課題を解決するための手段】
　上記課題を解決するため、本発明の時計外装の夜光構造は、時計ケースのダイヤルリング表面に、酸化アルミニウムストロンチウムを発光基体としポリメチルメタアクリレイトをバインダー材として混合し組成された蓄光性夜光塗料を塗布したことを特徴とする。
　また、本発明の時計外装の夜光構造は、時計ケースのダイヤルリング自体に、酸化アルミニウムストロンチウムを発光基体としポリメチルメタアクリレイトをバインダー材として混合し組成された蓄光性夜光塗料を混入したことを特徴とする。
　また、本発明の時計外装の夜光構造は、文字板に反射率の高い塗装を施すと共に、時計ケースの見返し面に、酸化アルミニウムストロンチウムを発光基体としポリメチルメタアクリレイトをバインダー材として混合し組成された蓄光性夜光塗料を塗布したことを特徴とする。
　また、本発明の時計外装の夜光構造は、時計ケースのガラス内面に、酸化アルミニウムストロンチウムを発光基体としポリメチルメタアクリレイトをバインダー材として混合し組成された蓄光性夜光塗料を塗布したことを特徴とする。
　また、本発明の時計外装の夜光構造は、文字板に反射率の高い塗装を施すと共に、時計の時針、分針の裏面に、酸化アルミニウムストロンチウムを発光基体としポリメチルメタアクリレイトをバインダー材として混合し組成された蓄光性夜光塗料を塗布したことを特徴とする。
　　　【０００６】
　【実施例】
（実施例１）
　図１は、金属あるいは合成樹脂等からなる時計ケース１のダイヤルリング６の表面に夜光塗料３を塗布したものである。
　　　【０００７】
　ここで、２はガラス、４は針、５は文字板である。夜光塗料３は発光基体として酸化アルミニウムストロンチウムを用い、ポリメチルメタアクリレイトをバインダー材として混合し組成されている蓄光性夜光塗料である。従来の夜光塗料と比較し、放射性物質を含まず残光時間が８時間以上ありほぼ一晩中光り、初輝度が約１０倍と高く、紫外線に最も良く光るが、励起される光の波長範囲が２００〜４５０ｎｍと広く、照射する光が強く長いほど良く光る。さらに高純度のアルミナを主原料とするセラミックスで構成されているため、化学的安定性が高く、耐光性、耐候性、耐湿性に優れているため屋外での使用にも耐えられる。
　　　【０００８】
　また、夜光塗料の発光基体はアルミニウムを主原料として焼結したセラミックスであれば、ストロンチウム以外にもカルシウム、バリウムや希土頬の化合物を用いても同様な効果が得られ、発光色も成分によって色調が異なり、デザインバリエーションの広がりも得られる。また、バインダーであるポリメチルメタアクリレイトは一般的には熱硬化型樹脂で高温乾燥しているが、熱硬化型の樹脂は夜光塗料の耐久性を向上させる為にクリアー塗装をする場合、塗装のシンナーにより溶剤性が弱く表面が歪んでしまうため、紫外線硬化型のＵＶ系樹脂をバインダーとして使用することも、外観向上のためには有益である。
　　　【０００９】
図１の如くダイヤルリングに用いれば、文字板、略字、針自体に夜光部材を使用しなくても、日中夜光塗料３に光を蓄え、初輝度が従来と比較し、約１０倍である蓄光により、針、文字板を繚射する為に、文字板、針自体に夜光を付けなくても、夜間に時刻を読み取ることができる。
　　　【００１０】
以上述べた様にすれば、文字板の外観を損ねることなく時間での視認性向上に非常に効果がある。また、文字板自体に反射率の高い塗装を施せば、更に輝度を高めることができ、文字板の視認性をより向上させることができる。更に文字板、針、略字自体に使用しない為、今までの様なデザイン制約条件がなく、何箇所にも使用しなくて良い為に加工工数の削減にもなる。
　　　　【００１１】
　（実施例２）
　図２で、ダイヤルリング６は合成樹脂から成り、成形する際に、合成樹脂材のペレツトと、前記夜光塗料を混合して成形することにより構成されている。これにより、ダイヤルリング６自体に夜光塗料が含まれ、蓄光により、文字板、針を照射し、実施例１と同様の効果が得られる。
　　　【００１２】
（実施例３）
　図３及び図４は時計ケース１の見返し面に、前記夜光塗料３を塗布し形成している。ダイヤルリングを使わなくても、この構造を使うことにより、実施例１と同様の効果を得ることができる。図４の構造では、外面からは夜光部材３が見えない為に外観を損ねることがなく、文字板を良く照射することができる。また、ケースが合成樹脂から成るものに夜光塗料を混合して成形することにより実施例２と同様の効果を得ることができる。
　　　【００１３】
（実施例４）
　図５は、時計のガラス内面に前記夜光塗料３を塗布したものである。これにより、ガラス内面印刷が光るデザインのものとなり、夜光塗料の色を変えることでデザインバリエーションを増やすことができる。また、夜光塗料３が、蓄光により、夜間、文字板、針を顆射し、上記と同様な効果が得られる。
　　　　【００１４】
（実施例５）
　図６の様に前記夜光塗料３とガラス２の間に印刷７を施し、１層設けることにより、外面からは夜光塗料３が見えなくなる。また、印刷の色を変えることにより、デザインバリエーションを増やすことができ、かつ、蓄光により、夜間、針、文字板を照射し、上記と同様な効果が得られる。
　　　【００１５】
（実施例６）
　図７は、針の裏側に前記夜光塗料３を塗布したものである．この様に用いることにより、昼間は夜光塗料が見えないが、晴間になると、時針、分針に塗布した夜光塗料が文字板を照射し、時間を読みとることができる。この構造では、針自体が発光する為に、針の周辺部が特に照射され、針の位置が容易分かるので、他の方法に比べると、時刻を読みとり易く、かつ、針にしか夜光塗料を塗布しないので、夜光塗料の使用量が少なくて済む。
　　　【００１６】
　【発明の効果】
　以上述べた様に本発明によれば、酸化アルミニウムストロンチウムを発光基体とした蓄光性夜光塗料は、輝度が高く、残光時間が長く、耐光性、耐候性、耐湿性に非常にすぐれたものである為に、文字板の表示部周辺に使用することにより、針、略字等に夜光塗料の使わないデザインの文字板でも外観を損ねることなく暗闇での視認性向上に非常に効果がある。また、文字板自体に反射率の高い塗装を施せば、更に輝度を高めることができ、文字板の視認性をより向上することができ、また、時針、分針、略字等、何箇所にも使用しなくて良い為に加工工数の削減にもなるという効果を有する。
【図面の簡単な説明】
　【図１】発明の実施例１を示す断面図
　【図２】発明の実施例２を示す断面図
　【図３】発明の実施例３を示す断面図
　【図４】発明の実施例３を示す断面図
　【図５】発明の実施例４を示す断面図
　【図６】発明の実施例５を示す断面図
　【図７】発明の実施例６を示す断面図
　【符号の説明】
　１・・・時計ケース
　２・・・ガラス
　３・・・夜光塗料
　４・・・針
　５・・・文字板
　６・・・ダイヤルリング
　７・・・印刷